(57)【要約】本発明は、光ファイバコネクタ用の複式プラグインコネクタに関するものであり、この複式プラグインコネクタは、２個の単一プラグインコネクタ（１４）を収容して複式プラグインコネクタ（２２）を形成するための２個の固定装置を有し、これら固定装置は、収容すべきプラグインコネクタ（１４）のコネクタハウジング（１８）及び／又はねじれ防止部（１７）を少なくとも部分的に包囲するよう設計する。
2004501383.tif 000002
【特許請求の範囲】
【請求項１】
２個の単一プラグインコネクタを収容して複式プラグインコネクタを形成する２個の固定装置を有する光ファイバコネクタ用の複式コネクタにおいて、
これら固定装置を、収容するべきプラグインコネクタ（１４）のコネクタハウジング（１８）及び／又はねじれ防止部（１７）を少なくとも一部包囲する構成としたことを特徴とする複式コネクタ。
【請求項２】
前記固定装置をＣ字状収容部（５）として構成した請求項１に記載の複式コネクタ。
【請求項３】
前記Ｃ字状収容部（５）に、矩形の収容部（６）を隣接した請求項２に記載の複式コネクタ。
【請求項４】
前記矩形の収容部（６）をほぼＬ字状の形状とした請求項３に記載の複式コネクタ。
【請求項５】
クリップ状素子（１３）を複式コネクタの上面（２）に設け、単一プラグインコネクタ（１４）を固定した状態において、このクリップ状素子（１３）が単一プラグインコネクタ（１４）のクリップ（１９）上に掛合する構成とした請求項１乃至４のいずれか一項に記載の複式コネクタ。
【請求項６】
請求項１乃至５のいずれか一項に記載した複式コネクタ（１）と、２個の単一プラグインコネクタ（１４）とを有することを特徴とする複式プラグインコネクタ。
【発明の詳細な説明】
【０００１】
本発明は、２個の単一プラグインコネクタを収容して複式プラグインコネクタを形成する２個の固定装置を有する複式コネクタに関するものである。
【０００２】
このタイプの一般的な複式コネクタとしては米国特許第 ５７９，４２５号明細書に開示されているものがある。この複式コネクタは、プレート状素子を有しており、このプレート状素子の側壁部には、２個の異なる設計の円筒状ピンがそれぞれ設けられており、これら円筒状ピンは単一コネクタのコネクタハウジング内の対応する孔に挿入できるようになっている。プレート状素子の上面にはクリップ状素子が設けられており、これは、組立てた状態において単一プラグインコネクタの係止クリップの周囲にかみ合うため、このクリップ状素子を作動することにより単一プラグインコネクタの２個の係止クリップを同時に釈放することができる。この単一プラグインコネクタはそのハウジングの両側に孔が形成されているため、それぞれの単一プラグインコネクタを複式コネクタのいずれかの側に配置できる。その結果、例えば、単一プラグインコネクタを交換又は変更することにより、後でチャンネル変更をすることができる。従って、複式コネクタは、２個の単一プラグインコネクタから複式プラグインコネクタを形成できる。他の利点としては、１個の単一プラグインコネクタに欠陥があった場合に、この欠陥のある単一プラグインコネクタのみを交換すればよいことである。この既知の複式コネクタは、機械的連結の質が不十分であり、また用途が限定されるという欠点がある。
【０００３】
従って、本発明は、一般的に使用可能で、且つ複式コネクタとプラグインコネクタとの間の機械的連結の向上を達成した、光ファイバプラグインコネクタ用の複式コネクタを得るという技術的課題に基づくものである。
【０００４】
この技術的課題を、請求項１の特徴を有する装置により解決する。本発明の更に有利な実施例は従属項に記載した。この技術的課題を解決するため、固定装置を、収容すべきプラグインコネクタのコネクタハウジング及び／又はねじれ防止部を少なくとも部分的に包囲する構成とした。その結果、収容すべきプラグインコネクタは、この固定装置によりしっかりとクランプされ、クランプ力は、固定装置の設計に対応して前記プラグインコネクタのハウジングの周囲に分布する。本発明による複式コネクタの更なる利点は、プラグインコネクタ自体には何ら機械的な装備を設ける必要がない。その結果、本発明による複式コネクタは、種々の製造者によるプラグインコネクタに対して汎用的に使用できる。
【０００５】
好ましい例においては、前記固定装置をＣ字状収容部として設計し、これらＣ字状収容部が各ねじれ防止部を弾性的に確実にクランプする。この場合には、プラグインコネクタの挿入を容易にするために、Ｃ字状収容部の開放脚に面取り部を設けると好適である。
【０００６】
他の好ましい例においては、矩形の収容部を複式コネクタの長手方向においてＣ字状収容部に隣接させる。この矩形の収容部は、コネクタハウジングの一部を確実にクランプする。結果として、プラグインコネクタは、ねじれ防止部及びコネクタハウジングの双方を同時に複式コネクタによりしっかりクランプし、これにより、機械的連結は特に確実なものとなる。
【０００７】
この矩形の収容部は、ほぼＬ字状であるのが好ましく、開放脚には面取り部を付けるのが好ましい。更に、このＬ字状収容部には、コネクタハウジングの上面に突出するウェブを形成する。
【０００８】
更に他の好ましい例においては、クリップ状素子を複式コネクタの上面に設け、単一プラグインコネクタを固定した状態において、この複式コネクタが単一プラグインコネクタのクリップ上に掛合する構成になっているため、このクリップ状素子を操作することにより、単一プラグインコネクタの２個のクリップを同時に操作する。
【０００９】
以下に好適な実施例をより詳細に説明する。
複式コネクタ１は、上面２及び下面３とを有し、これらの面間には、ウェブ状の壁素子４が中心に位置する。Ｃ字状収容部５及びＬ字状収容部６をこの壁素子４の両側に設ける。このＣ字状収容部５は、複式コネクタ１の幅Ｂの全体に亘って延在する。上側脚部の端面７には面取り部８を形成し、下側脚部の端面９には面取り部１０を形成する。脚部の端面９は複式コネクタの全長Ｌに亘って延在し、これに対し端面７はＬ字状収容部６まで延在するだけとする。Ｌ字状収容部６の領域における複式コネクタ１の上面２に平行にウェブ１１を設け、このウェブ１１は複式コネクタ１の幅Ｂより僅かに狭くする。ウェブ１１にも同様に面取り部１２を設ける。この場合において、Ｃ字状収容部５の長さをＬ字状収容部の長さの２倍より僅かに長くする。上面２の上にクリップ状素子１３を設け、このクリップ状素子１３を、ある角度で前面から後面へかけて延在させ、その後、上面２に平行にする。
【００１０】
図４に、図１〜３の複式コネクタ１と、２個の単一プラグインコネクタ１４とを示す。これら２個の単一プラグインコネクタは完全に同一の構造である。それぞれの単一プラグインコネクタ１４は、光ファイバケーブル１５と、ケーブル外皮固定手段１６と、ねじれ防止部１７と、コネクタハウジング１８とを有する。ねじれ防止部１７は、円錐部と、コネクタハウジング１８に対向する円筒部とからなる。コネクタハウジング１８上にスナップクリップ１９を設け、このスナップクリップ１９は、対応する収容部におけるプラグインコネクタ１４の係止及び釈放を行う。コネクタハウジング１８自体はほぼ直方体の設計とする。スナップクリップ１９は、係止クリップ２０と、釈放クリップ２１により形成するが、これについては図６につき更に詳細に説明する。
【００１１】
図５に完全な複式プラグインコネクタ２２を示す。この場合において、ねじれ防止部１７の円筒部をＣ字状収容部５内に確実にクランプし、コネクタハウジング１８の一部をＬ字状収容部６内に確実にクランプする。これら収容部５，６の周囲の面取り部８，１０を有する端面７，９の側方把持によりクランプ連結は機械的に極めて安定なものとなる。この場合、２個の単一プラグインコネクタ１４の双方のスナップクリップ１９上にクリップ状素子１３が存在し、２個の単一プラグインコネクタを同時に釈放できるようになっている。
【００１２】
図６から分かる通り、係止クリップ２０上に釈放クリップ２１があり、この釈放クリップ２１上にクリップ状素子１３がある。ここで、複式プラグインコネクタ２２を対応する収容部にはめ込むと、係止クリップ２０がこの収容部内に係止する。クリップ状素子１３の傾斜部分に圧力を加えると、釈放クリップ２１も同様に押し下げられる。次にこれらが係止クリップ２０を押し下げ、全てのクリップが係止が解除され複式プラグインコネクタ２２が釈放される。
【図面の簡単な説明】
【図１】複式コネクタの後方斜視図である。
【図２】複式コネクタの前方斜視図である。
【図３】複式コネクタの側面図である。
【図４】複式コネクタと２個の単一プラグインコネクタとの分解図である。
【図５】複式コネクタと２個の単一プラグインコネクタとを有する組立状態の複式プラグインコネクタを示す図である。
【図６】複式プラグインコネクタの側面図である。
【国際公開パンフレット】
2004501383.tif 000003
2004501383.tif 000004
2004501383.tif 000005
2004501383.tif 000006
2004501383.tif 000007
2004501383.tif 000008
2004501383.tif 000009
2004501383.tif 000010
2004501383.tif 000011
2004501383.tif 000012
2004501383.tif 000013
2004501383.tif 000014
【国際公開パンフレット（コレクトバージョン）】
2004501383.tif 000015
2004501383.tif 000016
【国際調査報告】
2004501383.tif 000017
2004501383.tif 000018
2004501383.tif 000019
2004501383.tif 000020
2004501383.tif 000021
2004501383.tif 000022